(57)【要約】【課題】便器の容易に装着可能でありながら、汚れ防止の効果の高い洋式便器の汚れ防止用カバーを提供する。【解決手段】汚れ防止用カバー１は、洋式便器２の上面３に載置され、便器２と便座との間に配設される。汚れ防止用カバー１は、斜面部１４を備える略Ｕ字形状の上面カバー部１１と、上面カバー部１１と一体に形成され便器内周面４に沿って下方に延びる側方カバー部１２と、上面カバー部１１の両端部２２ａ,２２ｂに取り付けられ便器２の奥側に設置される後方カバー部１３とを有する。斜面部１４には上面カバー部１１を支持する支持脚１６を設け、上面カバー部１１と側方カバー部１２との接続部には便器２に当接する突起部１９を設ける。突起部１９間には空隙部２１が形成される。後方カバー部１３には、上面カバー部１１との接続位置が変更可能な可変取付部２６を設ける。【選択図】図１
2006122481.tif 000002
【特許請求の範囲】
【請求項１】
洋式便器上面に載置され、前記洋式便器と便座との間に配設される洋式便器の汚れ防止用カバーであって、
前記便器上面を覆うように配置され、外周側が内周側よりも高く形成された斜面部を備える略Ｕ字形状に形成された上面カバー部と、
前記上面カバー部の便器内周側に前記上面カバー部と一体に形成され、便器内周面に沿って下方に延びる側方カバー部と、
前記上面カバー部の両端部に取り付けられ、前記便器の奥側に設置される後方カバー部とを有することを特徴とする洋式便器の汚れ防止用カバー。
【請求項２】
請求項１記載の洋式便器の汚れ防止用カバーにおいて、前記上面カバー部の外周端部に、前記斜面部から上方向けて立ち上がる周壁部を設けたことを特徴とする洋式便器の汚れ防止用カバー。
【請求項３】
請求項２記載の洋式便器の汚れ防止用カバーにおいて、前記周壁部の上端が前記便座上面と面一又はそれよりも低い位置に配置されることを特徴とする洋式便器の汚れ防止用カバー。
【請求項４】
請求項１〜３の何れか１項に記載の洋式便器の汚れ防止用カバーにおいて、上面カバー部の前記斜面部に、前記便器上面に当接し前記上面カバー部を前記便器上面にて支持する複数個の支持脚を設けたことを特徴とする洋式便器の汚れ防止用カバー。
【請求項５】
請求項４記載の洋式便器の汚れ防止用カバーにおいて、前記支持脚は、前記斜面部に凹設された脚穴に前記便器上面側から挿入され、前記脚穴内に保持されることを特徴とする洋式便器の汚れ防止用カバー。
【請求項６】
請求項１〜５の何れか１項に記載の洋式便器の汚れ防止用カバーにおいて、前記上面カバー部と前記側方カバー部との接続部に、前記便器側に突出して前記便器に当接する複数の突起部を設け、前記突起部間に前記便器と当該汚れ防止用カバーとが接触しない空隙部を形成することを特徴とする洋式便器の汚れ防止用カバー。
【請求項７】
請求項１〜６の何れか１項に記載の洋式便器の汚れ防止用カバーにおいて、前記後方カバー部は、前記上面カバー部との接続位置が変更可能な可変取付部を備えることを特徴とする洋式便器の汚れ防止用カバー。
【請求項８】
請求項１〜７の何れか１項に記載の洋式便器の汚れ防止用カバーにおいて、当該汚れ防止用カバーは、撥水性素材にて形成又はコーティングされてなることを特徴とする洋式便器の汚れ防止用カバー。
【発明の詳細な説明】
【技術分野】
【０００１】
本発明は、洋式水洗便器の汚れ防止用カバーに関し、特に、便器上面と便座用との間に取り付けられ、それらの間に付着したり、そこから便器外へと飛散する尿を捕捉し、便器やその周囲の汚れを防止する汚れ防止用カバーに関する。
【背景技術】
【０００２】
従来より、洋式水洗便器の尿はね対策、特に、男子小用の際の飛散尿対策として、種々の汚れ防止用カバーが提案されている。例えば、特許文献１には、便座と便器の間の空間に汚水が入らないように、便器上面に便座の開口部とほぼ等しい開口を有した洋式便器の汚れ防止用カバーが開示されている。そこでは、便器上面、便座裏、便座便器間、便座内周面、便座後部を個別に覆うカバーをそれぞれ設け、それらのカバーを互いに接着して１つのカバーとし、それを便座上部に取り付ける。これにより、便器上部から便座内周裏側までがこのカバーによって覆われ、便座便器間やその近傍への尿等の排泄物の付着が防止される。
【特許文献１】特開平11-28176号公報
【特許文献２】特開平11-346956号公報
【特許文献３】特開平09-187878号公報
【特許文献４】実用新案登録第3086845号公報
【特許文献５】実用新案登録第3084091号公報
【特許文献６】実開平7-39697号公報
【特許文献７】実開平7-23498号公報
【発明の開示】
【発明が解決しようとする課題】
【０００３】
しかしながら、このような汚れ防止用カバーは、便器や便座の各部を覆うパーツを複雑に組み合わせて接着する構造であり、しかも、使い捨て可能なように紙にて形成されているため、便器に装着しにくいという問題がある。実際にこのような形態のカバーを便器に取り付けようとすると、便器上面に取り付ける部分がねじれたり、後部カバー部分が便器内に落ちて濡れてしまったりするなど、その装着にはかなりの慣れが必要となる。このため、子供やお年寄りには使いずらく、特に効果が期待される男子子供の小用に供しにくいという課題があった。
【０００４】
また、カバー自体が便器内に大きく張り出すものも多く、小用の邪魔になると共に、そこに尿が当たりやすく、却ってその跳ね返りにより便器周囲に尿が飛散するおそれがあるという問題もあった。さらに、例えば、特許文献１のカバーなどでは、カバー上から尿があふれると、あふれた尿はそのまま便器外に流出してしまい、その場合にはカバーとしての役割を全く果たさないという問題もあった。
【０００５】
本発明の目的は、便器の容易に装着可能でありながら、汚れ防止の効果の高い洋式便器の汚れ防止用カバーを提供することにある。
【課題を解決するための手段】
【０００６】
本発明の洋式便器の汚れ防止用カバーは、洋式便器上面に載置され、前記洋式便器と便座との間に配設される洋式便器の汚れ防止用カバーであって、前記便器上面を覆うように配置され、外周側が内周側よりも高く形成された斜面部を備える略Ｕ字形状に形成された上面カバー部と、前記上面カバー部の便器内周側に前記上面カバー部と一体に形成され、便器内周面に沿って下方に延びる側方カバー部と、前記上面カバー部の両端部に取り付けられ、前記便器の奥側に設置される後方カバー部とを有することを特徴とする。
【０００７】
本発明にあっては、男性小用時に尿が便器上面に飛散しても、上面カバー部に捕捉される。その際、上面カバー部は斜面部によりその外周側が高くなっており、捕捉された尿は斜面部を下方へと流れ、側方カバー部を伝って便器内へと戻される。これにより、本発明の汚れ防止用カバーでは、簡単な構造でありながら、飛散尿による便器の汚れを効果的に防止できる。
【０００８】
前記洋式便器の汚れ防止用カバーにおいて、前記上面カバー部の外周端部に、前記斜面部から上方向けて立ち上がる周壁部を設けても良く、これにより、飛散尿の捕捉効果が向上する。この場合、前記周壁部の上端が前記便座上面と面一又はそれよりも低い位置に配置するようにしても良く、これにより、便座に座した使用者に周壁部上端が当たるのを防止でき、使用感や清潔感が損なわれるのを回避できる。
【０００９】
前記洋式便器の汚れ防止用カバーにおいて、上面カバー部の前記斜面部に、前記便器上面に当接し前記上面カバー部を前記便器上面にて支持する複数個の支持脚を設けても良い。この場合、前記支持脚を、前記斜面部に凹設された脚穴に前記便器上面側から挿入し、前記脚穴内に保持するようにしても良い。
【００１０】
前記洋式便器の汚れ防止用カバーにおいて、前記上面カバー部と前記側方カバー部との接続部に、前記便器側に突出して前記便器に当接する複数の突起部を設け、前記突起部間に前記便器と当該汚れ防止用カバーとが接触しない空隙部を形成しても良い。これにより、上面カバー部外に流出した尿が、斜面部の裏面側を伝って下方へと流れ、空隙部から後方カバー部の裏面側へと伝い、便器内に戻されるので、上面カバー部の外に尿があふれても、便器上面に尿が広がるのを防止でき、カバー機能がより向上する。
【００１１】
前記洋式便器の汚れ防止用カバーにおいて、前記後方カバー部に、前記上面カバー部との接続位置が変更可能な可変取付部を設けても良く、これにより、種々のサイズの便器に対応して最適なカバー設定が可能となる。
【００１２】
前記洋式便器の汚れ防止用カバーにおいて、当該汚れ防止用カバーを撥水性素材にて形成したり、撥水性素材にてコーティングしたりしても良い。
【発明の効果】
【００１３】
本発明の洋式便器の汚れ防止用カバーによれば、外周側が内周側よりも高く形成された斜面部を備える略Ｕ字形状に形成された上面カバー部と、上面カバー部の便器内周側に上面カバー部と一体に連設され便器内周面に沿って下方に沿って延びる側方カバー部と、上面カバー部の両端部に取り付けられ便器の奥側に設置される後方カバー部とを備える構成としたので、男性小用時の飛散尿が上面カバー部にて捕捉され易く、また、上面カバー部の外周側が高くなっているため、捕捉された尿は斜面部を下方へと流れ、側方カバー部を伝って便器内へと戻される。従って、本発明の汚れ防止用カバーは、簡単な構造でありながら、飛散尿による便器の汚れを効果的に防止することが可能となる。また、カバーの便器内への張り出しが少ないため、小用の妨げとならず、尿がカバーに直接当たってさらに飛散するなどの問題も生じにくい。さらに、取り付けや取り外し、洗浄も容易であるため、清潔な状態を保持し易く、使い勝手にも優れる。
【発明を実施するための最良の形態】
【００１４】
以下、本発明の実施例を図面に基づいて詳細に説明する。図１は、本発明の一実施例である洋式便器の汚れ防止用カバーの構成及びその取付方法を示す斜視図である。図２は図１の汚れ防止用カバーの平面図、図３はその背面図（図２矢視Ｘ）、図４は図１の汚れ防止用カバーを便器に取り付けた状態の正面図（図２矢視Ｙ）、図５は図２のＡ−Ａ線に沿った断面図、図６は図２のＢ−Ｂ線に沿った断面図である。
【００１５】
図１の汚れ防止用カバー１（以下、カバー１と略記する）は、ポリエチレンテレフタレート（ＰＥＴ，再生ＰＥＴが環境上好ましい）やポリプロピレン（ＰＰ）等の合成樹脂にて形成されており、洋式便器２の上面３（以下、便器上面３と称する）に載置され、洋式便器２と図示しない便座との間に配設される。カバー１は、略Ｕ字形状の上面カバー部１１と、上面カバー部の内周側に一体に形成された側方カバー部１２及び上面カバー部１１の端部に取り付けられる後方カバー部１３とから形成されている。
【００１６】
上面カバー部１１は、便器上面３を覆うように配置される。上面カバー部１１の外周部１１ａは内周部１１ｂよりも高くなっており、その間には内周部１１ｂに向かって下り勾配となる斜面部１４が形成されている。斜面部１４の外周端側にはさらに、上方向けて立ち上がる周壁部１５が形成されている。周壁部１５の上端は、便座を使用する際に、便座上面と面一かそれよりも低く設定する。これは、便座上面より周壁部１５の上端が上にあると、上端が便座に座した使用者に当たり、使用感や清潔感が損なわれるためである。
【００１７】
斜面部１４の中程にはゴム製の支持脚１６が複数個（本実施例では６個）取り付けられている。斜面部１４上には、脚穴突起１７が突出形成されており、脚穴突起１７内には、脚穴１８が便器上面３側から凹設されている。支持脚１６は、この脚穴１８に便器上面３側から挿入され、脚穴１８内に保持される。
【００１８】
側方カバー部１２は、上面カバー部１１の内周部１１ｂに一体的に連設され、洋式便器２の内周面４に沿って下方に沿って延びている。側方カバー部１２もやや斜めに形成されており、その下端部１２ａは上端部１２ｂよりも便器の内側寄りに配置される。上面カバー部１１と側方カバー部１２との接続部には、複数個の突起部１９が設けられている。突起部１９は便器上面３側に突出しており、カバー１を洋式便器２に取り付けると、便器上面３と内周面４との角部５に突起部１９が当接する。突起部１９が角部５に当接すると、カバー１において突起部１９のない部分、すなわち、突起部１９間の部位は角部５とは当接せず、そこには空隙部２１が形成される。
【００１９】
上面カバー部１１のＵ字開口側の端部２２ａ,２２ｂには、後方カバー部１３が取り付けられる。端部２２ａ,２２ｂは平面状に形成され、上面カバー部１１の本体部１１ｃよりも一段高くなっている。端部２２ａ,２２ｂは、洋式便器２に取り付けられた温水洗浄便座のノズル収容部６の形状に合わせて、図１に示すように、３０〜４５°（図中の角度θ）程度傾斜して設けられている。端部２２ａ,２２ｂの先端にはそれぞれ、長方形状の係合片２３が突出形成されている。
【００２０】
図７は、後方カバー部の構成を示す斜視図である。後方カバー部１３には、係合片２３に対応して係合孔２４が形成されている。係合孔２４は、後方カバー部１３の上辺に折り曲げ形成された挟持片２５の折曲部に設けられており、左右にそれぞれ３個ずつ配置され、可変取付部２６を形成している。可変取付部２６では、係合片２３との接続位置を適宜変更できるようになっており、合成樹脂製の上面カバー部１１及び側方カバー部１２を適宜撓ませることにより、便器２の大きさに応じた最適なカバー設定が可能となっている。
【００２１】
後方カバー部１３の両側部にも、挟持片２７がそれぞれ設けられている。挟持片２７は、後方カバー部１３を上面カバー部１１に取り付ける際、外側から端部２２ａ,２２ｂを挟み込むようになっている。端部２２ａ,２２ｂは、後方カバー部１３の本体部１３ｃと各挟持片２５,２７との間に挟持される。これにより、後方カバー部１３は、端部２２ａ,２２ｂに抜け止めされる形で取り付けられる。
【００２２】
次に、このようなカバー１の使用方法について説明する。カバー１は、図１に示すように便器上面３に載置される。取り付けは、上面カバー部１１を便器上面３に載せ、便器サイズに合わせて後方カバー部１３を便器奥側に取り付ければ良く、子供でも容易にセッティング可能である。カバー１は、便座使用時においてもそのまま便器上面３に載置したままの状態で良い。この際、便座下面に設けられている台座によって、上面カバー部１１が押されて変形するが、便座を持ち上げると、合成樹脂の可撓性によって元の形態に復帰する。
【００２３】
一方、例えば、便座を上げた状態で男性が小用をたす場合には、そのまま使用する。この際、カバーは便器２内への突出部分が小さいため、小用の際に邪魔にならない。男性小用時には、前述のように、尿が便器底面や水面から跳ね返り、便器上面３などに飛散することがある。しかしながら、当該カバー１が便器２に設置されていれば、飛散した尿は上面カバー部１１に受け止められる。その際、当該カバー１では、上面カバー部１１の外周側が高くなっており、さらに、外側には周壁部１５が形成されているため、より効果的に飛散尿を捕捉することができる。そして、斜面部１４や周壁部１５にて捕捉された尿は、下方へと流れ、側方カバー部１２を伝って便器２内へと戻される。
【００２４】
一方、上面カバー部１１の外に尿が流出した場合には、その尿は、斜面部１４の裏面側を伝って下方へと流れる。この際、当該カバー１では、カバー１と便器２の角部５との間に空隙部２１が形成されているため、斜面部１４の裏面側を流下してきた尿は、空隙部２１から後方カバー部１３の裏面側へと流れ、便器２内へと戻される。すなわち、上面カバー部１１の外に尿があふれても、便器上面３に尿が広がるのを防止でき、カバー機能の向上が図られる。
【００２５】
適宜使用したカバー１は、簡単に取り外して洗うことができる。その際には、後方カバー部１３を取り外し、それぞれの部分を洗剤を用いるなどして水洗いすれば、カバー１は容易に洗浄され、再び清潔な状態で使用することができる。従って、使い捨て型のカバーとは異なり、再利用による資源の有効活用が可能となる。
【００２６】
このように、本発明によるカバー１によれば、簡単な構造でありながら、飛散尿による便器の汚れを効果的に防止することが可能となる。また、カバー１を取り付けても、便器内への張り出しが少ないため小用の妨げとならず、尿がカバーに直接当たってさらに飛散するなどの問題も生じにくい。さらに、取り付けや取り外し、洗浄も容易であるため、清潔な状態を保持し易い。
【００２７】
本発明は前記実施例に限定されるものではなく、その要旨を逸脱しない範囲で種々変更可能であることは言うまでもない。
【００２８】
例えば、前述のカバー１では、ＰＥＴ等の合成樹脂にて形成した例を示したが、フッ素系樹脂のように撥水性に優れた素材を使用することにより、さらに、尿が硫化し易くなり、捕捉効果も向上する。なお、撥水性素材のコーティングを行っても良い。また、前述の実施例では、便座下面の台座によって押圧変形される構成としたが、台座の位置に切欠や孔を設けても良く、これを使用者側で適宜加工するようにしても良い。
【図面の簡単な説明】
【００２９】
【図１】本発明の一実施例である洋式便器の汚れ防止用カバーの構成及びその取付方法を示す斜視図である。
【図２】図１の汚れ防止用カバーの平面図である。
【図３】図１の汚れ防止用カバーの背面図である。
【図４】図１の汚れ防止用カバーを便器に取り付けた状態の正面図である。
【図５】図２のＡ−Ａ線に沿った断面図である。
【図６】図２のＢ−Ｂ線に沿った断面図である。
【図７】後方カバー部の構成を示す斜視図である。
【符号の説明】
【００３０】
１    汚れ防止用カバー
２    洋式便器
３    便器上面
４    便器内周面
５    角部
６    ノズル収容部
１１    上面カバー部
１１ａ  外周部
１１ｂ  内周部
１１ｃ  本体部
１２    側方カバー部
１２ａ  下端部
１２ｂ  上端部
１３    後方カバー部
１３ｃ  本体部
１４    斜面部
１５    周壁部
１６    支持脚
１７    脚穴突起
１８    脚穴
１９    突起部
２１    空隙部
２２ａ２２ｂ    端部
２３    係合片
２４    係合孔
２５    挟持片
２６    可変取付部
２７    挟持片
【図１】
2006122481.tif 000003
【図２】
2006122481.tif 000004
【図３】
2006122481.tif 000005
【図４】
2006122481.tif 000006
【図５】
2006122481.tif 000007
【図６】
2006122481.tif 000008
【図７】
2006122481.tif 000009